(57)【要約】【課題】動作検出や情報検出の反応性を確保しつつ、消費電力を削減する。【解決手段】ディスク型ジョグダイヤル部５は、電源が供給されている状態で、ユーザからの入力操作を検知する。電源制御部２５及び電源供給オン／オフスイッチ３６は、ディスク型ジョグダイヤル部５のホール素子３７に対し、間欠的に電源を供給する。ＣＰＵ２３は、電源制御部２５を介して電源供給オン／オフスイッチ３６の動作を制御することで、ホール素子３７に電源を供給する際の間欠周期を変更する。【選択図】      図３
2004312540.tif 000002
【特許請求の範囲】
【請求項１】
電源が供給されている状態で、使用者からの入力操作を検知する入力操作検知手段と、
上記入力操作検知手段の検知結果に応じて、その入力操作検知手段へ、電源を供給する第１の時間と電源を供給しない第２の時間とを繰り返す間欠的な電源供給を行う電源供給手段と、
上記電源供給手段が上記入力操作検知手段へ間欠的に電源を供給する際の、上記第１の時間と第２の時間との比率を、所定の時間毎に調整する制御手段とを有する
ことを特徴とする電子装置。
【請求項２】
請求項１記載の電子装置であって、
上記制御手段は、上記第１の時間を一定時間とし、上記所定の時間毎に上記第２の時間を変更することにより上記第１の時間と第２の時間の比率を調整することを特徴とする電子装置。
【請求項３】
請求項２記載の電子装置であって、
上記制御手段は、上記第２の時間の初期値と加算値と上限値を管理し、上記第２の時間の変更の際には、上記初期値から上記所定の時間毎に上記加算値を順次累積加算すると共に、上記累積加算された第２の時間が上限値を超えないよう制御することを特徴とする電子装置。
【請求項４】
請求項３記載の電子装置であって、
使用者から入力された、上記第２の時間の初期値と加算値と上限値の少なくとも何れかに対応した設定値を保持する保持手段を有し、
上記制御手段は、上記保持手段が保持している設定値に応じて、上記第２の時間の初期値と加算値と上限値の何れかを設定することを特徴とする電子装置。
【請求項５】
請求項３記載の電子装置であって、
少なくとも上記入力操作検知手段が上記使用者からの入力操作を検知したとき、上記制御手段は、上記第２の時間を上記初期値に設定することを特徴とする電子装置。
【請求項６】
請求項１記載の電子装置であって、
それぞれ一端部に設けられた連結部を介して互いに回動自在とされた第１の筐体及び第２の筐体と、
上記連結部を介して第１の筐体若しくは第２の筐体を回動させることで上記第１の筐体と第２の筐体が重ね合わされた状態を検知可能な検知手段と、
上記第１の筐体と第２の筐体が重ね合わされたことを上記検知手段が検知したとき、上記制御手段は、上記入力操作検知手段への電源供給を停止することを特徴とする電子装置。
【請求項７】
請求項１記載の電子装置であって、
上記制御手段は、上記第２の時間を一定時間とし、上記第１の時間を上記所定の時間毎に変更することにより上記第１の時間と第２の時間の比率を調整することを特徴とする電子装置。
【請求項８】
電源を供給すべき電源供給対象に対し、少なくとも、電源を供給する第１の時間と電源を供給しない第２の時間とを繰り返す間欠的な電源供給が可能な電源供給手段と、
上記電源供給手段が上記電源供給対象へ間欠的に電源を供給する際の、上記第１の時間と第２の時間との比率を、所定の時間毎に調整する制御手段とを有する
ことを特徴とする電源制御装置。
【発明の詳細な説明】
【０００１】
【発明の属する技術分野】
本発明は、電源供給により動作するデバイスを有した電子装置、所望の電源供給対象に対して電源を供給する電源制御装置に関する。
【０００２】
【従来の技術】
近年は、省エネルギーの観点から各種の電子装置の省電力化が盛んに行われている。
【０００３】
ここで、省電力化を可能とする従来の電子装置の一例として、待機状態で間欠受信状態にあるときにはＣＰＵ（中央処理ユニット）及びそのＣＰＵへクロックを供給するクロック発振器の動作を共に停止してスリープモードにすることにより、電力消費量を下げるようにした携帯電話端末が知られている。また当該携帯電話端末は、一定周期毎に上記スリープモードから通常の動作モードへ復帰し、その通常動作モードにおいてキーボード（番号入力用のテンキー等）が押下されたか否かの検出動作を行っている。（例えば特許文献１参照）
【特許文献１】
特開平１０−１６１７８０号公報（第１図）
【０００４】
【発明が解決しようとする課題】
ところで、上述したように一定周期毎にスリープモードから通常動作モードへ復帰する電子装置の場合、上記通常動作モード時にはやはり電力が消費されることになる。したがって、当該電子装置において更に消費電力を抑えるためには、上記スリープモードの持続時間を長くすること、つまりスリープモードから通常動作モードへ復帰する上記一定周期を長くすれば良いことになる。しかしながら、上記一定周期が長すぎると、そのスリープモードの間に、例えばユーザ操作のような検出すべき動作や情報等を電子装置が見逃してしまう虞がある。このように、スリープモードと通常動作モードを切り替え可能な従来の電子装置は、上記一定周期が長すぎると動作検出や情報検出の反応性が悪くなり、逆に、上記一定周期が短いと消費電力が増大してしまうという、トレードオフの問題を抱えている。
【０００５】
本発明は、このような課題に鑑みてなされたものであり、動作検出や情報検出の反応性を確保しつつ、消費電力を削減可能な、電子装置、電源制御装置を提供することを目的とする。
【０００６】
【課題を解決するための手段】
本発明は、電源が供給されている状態で使用者からの入力操作を検知する入力操作検知手段に対して、少なくとも電源を供給する第１の時間と電源を供給しない第２の時間とを繰り返す間欠的な電源供給を行う際に、第１の時間と第２の時間との比率を所定の時間毎に調整する。
【０００７】
また本発明は、電源を供給する電源供給対象に対して、少なくとも、電源を供給する第１の時間と電源を供給しない第２の時間とを繰り返す間欠的な電源供給を行う際に、第１の時間と第２の時間との比率を所定の時間毎に調整する。
【０００８】
本発明によれば、電源を供給する第１の時間と電源を供給しない第２の時間との比率を調整すること、つまり、電源を供給する第１の時間を長く若しくは短くすること、或いは、電源を供給しない第２の時間を長く若しくは短くすることにより、消費電力量を調整可能とし、また、電源供給時に行われる各種の動作検出や情報検出の反応性を確保している。
【０００９】
【発明の実施の形態】
以下、本発明の好ましい実施の形態について、図面を参照しながら説明する。
【００１０】
図１及び図２は、本発明の電子装置の一本実施の形態としての折り畳み式携帯電話端末の外観を示す。なお、本実施の形態では、携帯電話端末を例に挙げて説明するが、本発明の電子装置は携帯電話端末に限定されず、例えば、ＰＤＡ（Ｐｅｒｓｏｎａｌ  Ｄｉｇｉｔａｌ  Ａｓｓｉｓｔａｎｔｓ）、各種のリモートコントローラ、コンピュータマウスなどにも適用できることは言うまでもない。
【００１１】
本実施の形態の携帯電話端末は、第１の筐体１と、この第１の筐体１に対して折り重なるように二つ折りにされる第２の筐体２とを有している。また、本実施の形態の携帯電話端末は、一般の携帯電話端末と同様に、電話番号表示や待ち受け画像の表示，電子メールの文章表示等を行うためのディスプレイ４、電話番号入力や電子メール文章の入力等の際にユーザにより操作されるキー操作部（キーボード）９、内部メモリに記憶されている電話帳，アドレス帳，辞書から所望の電話番号，アドレス，語句を選択したり、ディスプレイ４上に表示された各種の設定メニューから所望のメニューをユーザが選択等する際に操作されるディスク型ジョグダイヤル部５、映像を撮影するためのカメラ用レンズ１１、赤外線通信を行うための赤外線通信部１０等を備えている。なお、ディスク型ジョグダイヤル部５は、図１中の矢印７方向に回転自在に構成されたディスク８を備えている。このディスク型ジョグダイヤル部５はその内部にホール素子（図１，２では図示を省略）を備えており、本実施の形態の携帯電話端末は、当該ホール素子から出力されたパルス信号により、ユーザがディスク８を何れの方向にどの程度回転させたのか等のユーザ入力操作を検出する。また、当該ディスク型ジョグダイヤル部５は、上記ディスク８上に刻印された上下左右方向を表す４つの各マーク１２と対応する位置に、それぞれ図示しない押下スイッチを備えている。なお、これら４つの押下スイッチは、一例として、ディスプレイ画面上に表示されているカーソルを当該画面上で上下左右に移動させる際などに、ユーザにより操作されるスイッチである。さらに、上記ディスク８の中央部には、プッシュ型スイッチ６が備えられている。当該プッシュ型スイッチ６は、一例として、選択状態（未決定状態）となっているメニューを決定する際などに、ユーザにより押下操作されるスイッチである。本実施の形態の携帯電話端末は、上記４つの押下スイッチやプッシュ型スイッチ６からの出力信号により、ユーザがそれら押下スイッチやプッシュ型スイッチ６を押下操作したか否かを検出する。
【００１２】
第１の筐体１と第２の筐体２は、互いの一端側を連結部（ヒンジ部）３を介して互いに回動自在とされており、図１の開いた状態（以下、端末開状態と表記する）と図２の折り畳んだ状態（第１の筐体１と第２の筐体２が重ね合わされた状態、以下、端末閉状態と表記する）で使用される。例えば、この折り畳み式の携帯電話端末は、電話をかけたり電子メールの作成や送受信を行う場合には図１の端末開状態とし、充電時や電話をかけない時或いは着信待ちの場合等には図２の端末閉状態として使用される。また、本実施の形態の携帯電話端末は、一般的な折り畳み式携帯電話端末と同様に、上記端末閉状態と端末開状態を検知するための開閉検知スイッチ（図１，２では図示を省略）を備えている。そして、当該携帯電話端末は、上記開閉検知スイッチの開検知信号により端末開状態であることを検知した場合、ディスプレイ４上に例えば待ち受け画面等を表示させると共に、キー操作部９やディスク型ジョグダイヤル部５等からのユーザ操作を受け付け可能な状態とする。一方、携帯電話端末は、上記開閉検知スイッチの閉検知信号により端末閉状態となされたことを検知した場合、ディスプレイ４やキー操作部９、ディスク型ジョグダイヤル部５等を停止状態として電力消費を削減する。
【００１３】
［ディスク型ジョグダイヤル部の具体例］
ところで、上述したように、本実施の形態の携帯電話端末のディスク型ジョグダイヤル部５は、ユーザによるディスク８の回転操作を上記ホール素子によりパルス信号へ変換し、そのパルス信号からユーザの入力操作を検出（つまりユーザ入力操作信号を出力）する構成となされている。そして、当該ホール素子を備えたディスク型ジョグダイヤル部５は、電気接点同士の機械的接触を伴わずにユーザの入力操作を検出可能な入力操作検出デバイスであるため、例えば電気接点同士が機械的に接触した時の電気的導通状態により発生した電気信号をユーザ入力操作信号として出力するようなデバイスと比較して、メカ的な摩耗等が少なく、信頼性と耐久性に優れるという特徴がある。
【００１４】
しかしながら、上記ホール素子は、一般に、電流を加えた半導体が磁界内を通過したときに発生するホール電圧を出力する構成となされている。したがって、このようなホール素子を備えたディスク型ジョグダイヤル部５において、上記ユーザによるディスク８の回転操作を当該ホール素子によりパルス信号へ変換するためには、常にホール素子へ電力を供給しておかなければならず、省電力化が難しいという問題がある。
【００１５】
このため、本実施の形態の携帯電話端末は、端末開状態の時に、常時電源供給を行う通常動作モードの他に、上記ディスク型ジョグダイヤル部５のホール素子への電源供給を間欠的に行うスリープモードでも動作可能となされている。すなわち、本実施の形態の携帯電話端末は、端末開状態の時に上記スリープモードで動作することにより、消費電力を削減可能となっている。また、本実施の形態の携帯電話端末は、端末閉状態の時には、ディスク型ジョグダイヤル部５のホール素子への電源供給を完全に止めて電力消費を削減する停止モードをも備えている。そして、本実施の形態の携帯電話端末は、端末閉状態から端末開状態になされたとき、上記停止モードから通常動作モードに切り替わる。また、本実施の形態の携帯電話端末は、上記通常動作モード時にユーザから何も入力操作がなされない状態が所定時間続いた場合にスリープモードに切り替わり、一方、スリープモード時にユーザから何らかの入力操作がなされた場合に通常動作モードへ復帰する。
【００１６】
ここで、上述のようにホール素子への電力供給を間欠的に行うスリープモードにより消費電力を削減することにした場合、上記ホール素子へ電力を間欠的に供給する周期（以下適宜、間欠周期、若しくはスリーピングタイムと表記する）が長すぎるとユーザの入力操作を検出する際の反応性が悪くなり、逆に、間欠周期（スリーピングタイム）が短すぎると電力消費の削減効果が少なくなってしまう。
【００１７】
このようなことから、本実施の形態において、上記スリープモード時の携帯電話端末は、ユーザから何も入力操作がなされていない時間の長さに応じて、上記ホール素子への電力供給の間欠周期（つまりスリーピングタイム）を適宜調整することにより、ユーザの入力操作の検出反応性を確保しつつ、消費電力量を効率的に低減可能としている。すなわち例えば、上記通常動作モードからスリープモードに切り替わった直後はユーザから再度入力操作が行われる可能性が高く、一方、ユーザからの入力操作が無い時間が長くなればなるほどユーザから再度入力操作が行われる可能性が低くなると考えられるため、本実施の形態の携帯電話端末は、上記通常動作モードからスリープモードに切り替わった直後はスリーピングタイム（間欠周期）を短めに設定することで、ユーザからの入力操作に対する反応性を確保し、一方、ユーザからの入力操作が無い時間が長くなるにつれてスリーピングタイム（間欠周期）を長く調整していくことで、消費電力の削減量を増やすようにしている。また、本実施の形態の携帯電話端末は、スリーピングタイムが無限に延びることでユーザからの入力操作に全く反応しなくなってしまうことを避けるために、スリーピングタイムに上限値を設けている。
【００１８】
［ディスク型ジョグダイヤル部の内部構成と動作モードの説明］
図３には、本実施の形態の携帯電話端末が備える内部回路構成のうち、ディスク型ジョグダイヤル部５への電源供給を、動作モードに応じて制御する主要部の構成を示している。また、図４には、本実施の形態の携帯電話端末が、ディスク型ジョグダイヤル部５のホール素子３７へ供給する電源のオン／オフ制御のタイミングを示す。
【００１９】
図３において、ディスク型ジョグダイヤル部５は、その内部の電気的構成として、少なくとも、ホール素子３７と、電源供給回路３５と、電源供給オン／オフスイッチ３６とを有している。なお、図３は、ディスク型ジョグダイヤル部５の内部のうち本発明にかかる主要な部分のみを示しており、前記ディスク８やプッシュ型スイッチ６、４つの押下スイッチ等のメカ的及び電気的構成ついての図示は省略している。
【００２０】
上記電源供給回路３５は、電源部２８からの電源電圧及び電流をホール素子３７の動作電圧及び電流に調整するために設けられている。なお、本実施の形態の場合、電源供給回路３５は、例えば、電源部２８から供給される電力を非常に短い一定周期で間欠的にオン／オフして出力することにより、消費電力の削減を可能とするものであっても良い。電源供給オン／オフスイッチ３６は、電源供給回路３５からホール素子３７までの間の電源供給経路内に挿入接続され、電源制御部２５からの電源オン／オフ制御信号によりオン（閉成）／オフ（開成）制御される。
【００２１】
ここで、上記電源制御部２５から送られてくる電源オン／オフ制御信号は、上記停止モード時には図４の（ａ）に示すように電源供給オン／オフスイッチ３６を常時オフ（開成）制御する信号となり、上記通常動作モード時には図４の（ｂ）に示すように電源供給オン／オフスイッチ３６を常時オン（閉成）制御する信号となる。なお、図４の（ｂ）は、端末閉状態の停止モード中に、図中矢印ＯＰで示される時点で端末が開かれて端末開状態となり、通常動作モードに移行したときの電源オン／オフ制御信号を示している。また、上記通常動作モード時の電源オン／オフ制御信号は、常時オン（ハイ：Ｈ）状態となる信号である。
【００２２】
次に、上記通常動作モード時に、ユーザからの入力操作が所定時間Ｔｃｍ内になされなかった場合、上記電源制御部２５からの電源オン／オフ制御信号は、図４の（ｃ）に示すように、スリーピングタイムＴｓ毎（本発明の第２の時間）に電源供給オン／オフスイッチ３６を所定時間Ｔｏｎ（本発明の第１の時間）だけオン（閉成）制御する信号となる。なお、上記通常動作モードからスリープモードに切り替わった直後の電源オン／オフ制御信号は、スリーピングタイムＴｓが、図４の（ｃ）に示すデフォルトスリーピングタイムＴｄｓに設定される。そして、当該図４の（ｃ）の状態のスリープモード時において、ユーザからの入力操作が所定時間Ｔｃａ内になされなかった場合、上記電源制御部２５からの電源オン／オフ制御信号は、図４の（ｄ）に示すように上記デフォルトスリーピングタイムＴｄｓにさらにアディッショナルスリーピングタイムＴａｓ（本発明の加算値）を加算したスリーピングタイムＴｓ毎に電源供給オン／オフスイッチ３６を所定時間Ｔｏｎだけオン（閉成）制御する信号となる。また更に、当該図４の（ｄ）の状態のスリープモード時において、ユーザからの入力操作が所定時間Ｔｃａ内になされなかった場合、上記電源制御部２５からの電源オン／オフ制御信号は、図４の（ｅ）に示すように上記図４の（ｃ）のスリーピングタイムＴｓ（＝Ｔｄｓ＋Ｔａｓ）にさらにアディッショナルスリーピングタイムＴａｓを加算したスリーピングタイムＴｓ（＝Ｔｄｓ＋２Ｔａｓ）毎に電源供給オン／オフスイッチ３６を所定時間Ｔｏｎだけオン（閉成）制御する信号となる。その後、当該図４の（ｅ）の状態のスリープモード時に、ユーザからの入力操作が所定時間Ｔｃａ内になされた場合、上記電源制御部２５からの電源オン／オフ制御信号は、図４の（ｆ）に示すようにスリーピングタイムＴｓがデフォルトスリーピングタイムＴｄｓに戻され、そのスリーピングタイムＴｓ（＝Ｔｄｓ）毎に電源供給オン／オフスイッチ３６を所定時間Ｔｏｎだけオン（閉成）制御する信号となる。
【００２３】
なお、本実施の形態において、上記デフォルトスリーピングタイムＴｄｓは例えば３００ｍ秒を挙げることができ、上記アディッショナルスリーピングタイムＴａｓは上記デフォルトスリーピングタイムＴｄｓと同じでも或いは異なった値（時間）でも良い。また、上記スリーピングタイムＴｓに加算される各アディッショナルスリーピングタイムＴａｓは、必ずしも毎回同じ値（時間）である必要はなく、加算毎に異なる値であっても良い。また、上記通常動作モードからスリープモードに切り替えがなされる際の所定時間Ｔｃｍは例えば１０秒を挙げることができ、上記スリーピングタイムＴｓにアディッショナルスリーピングタイムＴａｓが加算される所定時間Ｔｃａは、上記所定時間Ｔｃｍと同じでも或いは異なった値（時間）でも良い。更に、アディッショナルスリーピングタイムＴａｓがスリーピングタイムＴｓに加算される回数は、図４の例のように２回に限定されず、例えば１回，３回，４回等の所定回数であっても良い。なお、本実施の形態の携帯電話端末は、上述のようにアディッショナルスリーピングタイムＴａｓがスリーピングタイムＴｓに加算される回数に制限を設けている。つまり、本実施の形態の携帯電話端末は、スリーピングタイムＴｓに上限値としての最大スリーピングタイム（Ｔｍａｘ）を設けることで、スリーピングタイムＴｓが無制限に延びてしまってディスク型ジョグダイヤル部５がユーザの入力操作に反応できなくなる状態になってしまうことを避けている。この最大スリーピングタイムＴｍａｘは、例えば３秒を挙げることができる。また、本実施の形態において、上記デフォルトスリーピングタイムＴｄｓやアディッショナルスリーピングタイムＴａｓ、上記所定時間ＴｃｍやＴｃａ、上記アディッショナルスリーピングタイムＴａｓがスリーピングタイムＴｓに加算される回数（つまり最大スリーピングタイムＴｍａｘ）等のパラメータは、工場出荷時に決められていても、或いは、それぞれユーザにより任意に設定可能であっても良い。その他、本実施の形態の携帯電話端末は、ユーザから入力操作の無い時間が続いた場合、スリーピングタイムＴｓ（間欠周期）を線形的に増加させているが、例えば、スリーピングタイムＴｓを指数的に増加させるようにしても良い。本実施の形態の携帯電話端末は、上記デフォルトスリーピングタイムＴｄｓ、アディッショナルスリーピングタイムＴａｓ、所定時間Ｔｃｍ，Ｔｃａ、アディッショナルスリーピングタイムＴａｓがスリーピングタイムＴｓに加算される回数（最大スリーピングタイムＴｍａｘ）、スリーピングタイムＴｓを線形的に増加させるか或いは指数的に増加させるか等のパラメータが、それぞれユーザにより設定可能となされており、それらユーザによる設定値は例えば図３のメモリ２２に保存される。このように、本実施の形態では、それら全てのパラメータがユーザにより任意に設定可能となされているため、ユーザは、自己の感覚に最も適合する操作感を自ら調整可能となる。
【００２４】
回転検出部２６は、前記ディスク８がユーザにより回転操作されることにより上記ホール素子３７から出力されるパルス信号が入力され、そのパルス信号から、ディスク８の回転数と回転方向を表すユーザ入力操作信号を生成して出力する。具体的に説明すると、前記ディスク８がユーザにより回転操作されると、上記ホール素子３７からは、互いに位相の異なる二つのパルス信号が出力される。それら二つのパルス信号は共に回転方向検出回路３４へ送られ、また何れか一方のパルス信号は回転数検出回路３３へ送られる。回転数検出回路３３は、供給されたパルス信号のパルス数をカウントすることで、上記ディスク８の回転数を検出する。一方、回転方向検出回路３４は、二つのパルス信号のうち何れのパルス信号の位相が進んでいるのかを判定することにより、ディスク８の回転方向を検出する。上記回転数検出回路３３からの回転数検出信号と、回転方向検出回路３４からの回転方向検出信号は、ディスク型ジョグダイヤル部５からのユーザ入力操作信号としてＣＰＵ２３へ送られる。
【００２５】
電源制御部２５は、ＣＰＵ２３からの制御コマンドに応じて、図４で説明したスリープモード、通常動作モード、停止モードの各動作モードに応じた電源オン／オフ制御信号を生成し、電源供給オン／オフスイッチ３６へ出力することにより、ホール素子３７への電源供給を制御する。具体的には、電源制御部２５の電源オン／オフ制御信号発生回路３２は、上記停止モードの制御コマンドをＣＰＵ２３から受け取った場合、図４の（ａ）に示したように電源供給オン／オフスイッチ３６を常時オフ（開成）制御するための電源オン／オフ制御信号を生成し、また、通常動作モードの制御コマンドをＣＰＵ２３から受け取った場合、図４の（ｂ）に示したように電源供給オン／オフスイッチ３６を常時オン（閉成）制御するための電源オン／オフ制御信号を生成し、スリープモードの制御コマンドをＣＰＵ２３から受け取った場合、図４の（ｃ）〜（ｆ）に示したようにスリーピングタイムＴｓ毎に電源供給オン／オフスイッチ３６を所定時間Ｔｏｎだけオン（閉成）制御するための電源オン／オフ制御信号を生成して、前記電源供給オン／オフスイッチ３６へ出力する。また、レジスタ３０は、前記スリーピングタイムＴｓを決めるための設定値が、ＣＰＵ２３により書き込まれる。そして、電源オン／オフ制御信号発生回路３２は、上記スリープモードの時には、上記レジスタ３０に書き込まれている設定値に応じて、タイマ３１のカウント周期（スリーピングタイム、間欠周期）を設定すると共に、当該タイマ３１のカウント周期に対応した電源オン／オフ制御信号を発生する。すなわち、当該スリーピングモード時の電源オン／オフ制御信号発生回路３２は、上記タイマ３１のカウント周期毎（前記スリーピングタイムＴｓ毎）に電源供給オン／オフスイッチ３６を前記所定時間Ｔｏｎだけオン（閉成）させる電源オン／オフ制御信号を発生する。
【００２６】
ここで、本実施の形態の携帯電話端末が停止モードや通常動作モードの時、上記ＣＰＵ２３によりレジスタ３０に書き込まれる設定値は、前記デフォルトスリーピングタイムＴｄｓに上記タイマ３１のカウント周期を設定するための複数ビット値となされる。また、当該携帯電話端末が上記スリープモードであり且つユーザからの入力操作がなされなかった場合、ＣＰＵ２３によりレジスタ３０に書き込まれる設定値は、前記所定時間Ｔｃａ毎に書き換えられる。すなわち、スリープモードでユーザからの入力操作がない状態が続いた場合、図４の（ｃ）〜（ｅ）で説明したように、所定時間Ｔｃａ毎にアディッショナルスリーピングタイムＴａｓが加算される状態を実現するために、ＣＰＵ２３は、所定時間Ｔｃａが経過する毎にレジスタ３０に書き込まれる複数ビット値を書き換える。このように、本実施の形態の携帯電話端末は、レジスタ３０に書き込まれるビット値により、タイマ３１のカウント周期を設定すること、すなわちレジスタ３０へ書き込むビット値により、スリーピングタイムＴｓが制御可能となされている。なお、本実施の形態の携帯電話端末は、レジスタ３０に書き込む複数ビットの値を調整することでスリーピングタイムＴｓを制御可能にしているため、例えばユーザの設定に応じてスリーピングタイムＴｓを変更することなどが容易となる。また、本実施の形態の携帯電話端末は、スリーピングタイムＴｓを指数的に増加させるようなことも、上記ビット値の左シフトのみで容易に実現でき、実装上のコスト上昇を抑えることが可能である。すなわち例えば、所定時間Ｔｃａが経過する毎にスリーピングタイムＴｓ（間欠周期）を２倍にするような制御は、上記レジスタ３０内のビット値を１ビット左シフトするのみで実現可能である。
【００２７】
ＣＰＵ２３は、上記電源制御部２５の電源オン／オフ制御信号発生回路３２へ停止モード、通常動作モード、スリープモードの各動作モードに応じた制御コマンドを供給し、また、前記スリーピングタイムＴｓを決めるための設定値を上記レジスタ３０に書き込む。すなわち、ＣＰＵ２３は、開閉検知スイッチ２０からの開／閉検知信号により端末開状態か端末閉状態かを判断し、端末閉状態のときには上記図４の（ａ）に示した停止モードとするための制御コマンドを上記電源オン／オフ制御信号発生回路３２へ送る。一方、開閉検知スイッチ２０からの開／閉検知信号により端末閉状態から端末開状態になされたと判断した場合、ＣＰＵ２３は、上記図４の（ｂ）に示した通常動作モードとするための制御コマンドを上記電源オン／オフ制御信号発生回路３２へ送る。また、通常動作モードであるとき、ＣＰＵ２３は、時計２４から得られる経過時間の情報と、例えばメモリ２２内に予め設定されている所定時間Ｔｃｍの情報と、キー操作部９やディスク型ジョグダイヤル部５からのユーザ入力操作信号とを参照し、上記ユーザ入力操作信号の無い状態が所定時間Ｔｃｍ以上続いたと判断した場合、上記図４の（ｃ）に示したスリープモードにするための制御コマンドを上記電源オン／オフ制御信号発生回路３２へ送る。さらに、当該スリープモードの時、ＣＰＵ２３は、時計２４から得られる経過時間の情報と、メモリ２２内に予め設定されている所定時間Ｔｃａの情報と、キー操作部９やディスク型ジョグダイヤル部５からのユーザ入力操作信号と参照し、上記ユーザ入力操作信号の無い状態が所定時間Ｔｃａ以上続いたと判断する毎に、上記レジスタ３０の設定値を前記図４の（ｃ）〜（ｆ）の各スリーピングタイムＴｓに相当する値に順次書き換える。
【００２８】
［ＣＰＵの処理フローチャート］
図５には、上記ＣＰＵ２３が上記動作モードを制御したり、スリーピングタイムＴｓを設定する処理のフローチャートを示す。なお、この図５のフローチャートは、上記停止モードから通常動作モードへの移行、通常動作モード或いはスリープモードから停止モードへの移行についての処理ステップについては図示を省略している。特に、ＣＰＵ２３は、端末開状態のときに開閉検知スイッチ２０から閉検知信号を受け取った場合、この図５のフローチャートの何れのステップの処理中であっても、当該端末の動作モードを直ちに停止モードに移行させる。
【００２９】
図５において、ＣＰＵ２３は、携帯電話端末の電源ボタンがオンされて動作可能になった時、先ず、ステップＳ１の処理として、メモリ２２に保存されている設定値を読み出す。なお、メモリ２２から読み出される設定値とは、前述したデフォルトスリーピングタイムＴｄｓ、アディッショナルスリーピングタイムＴａｓ、所定時間Ｔｃｍ，Ｔｃａ、アディッショナルスリーピングタイムＴａｓがスリーピングタイムＴｓに加算される回数（最大スリーピングタイムＴｍａｘ）、スリーピングタイムＴｓを線形的に増加させるか或いは指数的に増加させるか等のパラメータの情報である。そして、ＣＰＵ２３は、ステップＳ２の処理として、電源制御部２５のレジスタ３０に対して、デフォルトスリーピングタイムＴｄｓに相当するビット値（タイマ３１のカウント周期を設定するための値）を書き込む。さらに、ＣＰＵ２３は、ステップＳ３の処理として、電源制御部２５の電源オン／オフ制御信号発生回路３２に対して、動作モードを通常動作モードに設定するための制御コマンドを送る。これにより、当該携帯電話端末は、通常動作モードにより動作することになる。
【００３０】
当該通常動作モードの時、ＣＰＵ２３は、ステップＳ４の処理として、回転検出部２６やキー操作部９からユーザ入力操作信号が供給されたか否かを判定すると共に、ステップＳ５の処理として、ユーザ入力操作信号が供給されていない時間が前記所定時間Ｔｃｍ続いたか否かを判定する。すなわち、ＣＰＵ２３は、ステップＳ４，ステップＳ５の処理において、ユーザによりディスク型ジョグダイヤル部５やキー操作部９が操作されていない時間が、通常動作モードからスリープモードへ移行する待ち時間だけ経過したか否かを判定している。そして、ステップＳ４にてユーザからの入力が無く、且つ、その状態がステップＳ５にて所定時間Ｔｃｍ続いたと判定した場合、ＣＰＵ２３は、ステップＳ６の処理として、電源制御部２５の電源オン／オフ制御信号発生回路３２へ動作モードをスリープモードに設定するための制御コマンドを送る。これにより、当該携帯電話端末は、スリープモードに移行することになる。
【００３１】
当該スリープモードの時、ＣＰＵ２３は、ステップＳ７の処理として、回転検出部２６やキー操作部９からユーザ入力操作信号が供給されたか否かを判定すると共に、ステップＳ８の処理として、ユーザ入力操作信号が供給されていない時間が前記所定時間Ｔｃａ続いたか否かを判定する。すなわち当該スリープモード時のＣＰＵ２３は、ステップＳ７，ステップＳ８の処理において、ユーザによりディスク型ジョグダイヤル部５やキー操作部９が操作されていない時間が、スリーピングタイムの周期を変更する待ち時間だけ経過したか否かを判定している。そして、ステップＳ７にてユーザからの入力が無く、且つ、その状態がステップＳ８にて所定時間Ｔｃａ続いたと判定した場合、ＣＰＵ２３は、ステップＳ９の処理として、現在のスリーピングタイムＴｓは最大スリーピングタイムＴｍａｘか否か判定し、現在のスリーピングタイムＴｓが最大スリーピングタイムＴｍａｘになっていると判定した場合はステップＳ７に戻る。一方、ステップＳ９にて、現在のスリーピングタイムＴｓが最大スリーピングタイムＴｍａｘになっていないと判定した場合、ＣＰＵ２３は、ステップＳ１０の処理として、スリーピングタイムＴｓにアディッショナルスリーピングタイムＴａｓを加えた時間に相当するビット値（タイマ３１のカウント周期を設定するための値）を、レジスタ３０に書き込む。
【００３２】
一方、ステップＳ７にてユーザ入力操作信号が供給されたと判定した場合、ＣＰＵ２３は、ステップＳ１１にてスリーピングタイムＴｓをデフォルトスリーピングタイムＴｄｓに設定する。つまり、ＣＰＵ２３は、電源制御部２５のレジスタ３０に対して、デフォルトスリーピングタイムＴｄｓに相当するビット値（タイマ３１のカウント周期を設定するための値）を書き込む。その後、ＣＰＵ２３の処理は、ステップＳ３へ戻る。
【００３３】
［まとめ］
以上説明したように、本実施の形態の携帯電話端末によれば、スリープモード時に、ユーザによる入力操作がなされていない状態の継続時間に応じて、スリーピングタイムを適宜調整することにより、ユーザの入力操作の検出反応性を確保しつつ、消費電力量を効率的に低減可能となっている。また、本実施の形態によれば、デフォルトスリーピングタイムＴｄｓ、アディッショナルスリーピングタイムＴａｓ、所定時間Ｔｃｍ，Ｔｃａ、最大スリーピングタイムＴｍａｘ等の各種のパラメータを、ユーザが任意に設定可能となされている。このため、ユーザは、自分の感覚に最も適合する操作感を得ることができる。すなわち、ユーザは、一例として、前記所定時間Ｔｃｍ、Ｔｃａのパラメータを変更することで、ユーザ入力操作に対する反応性を遅くしてゆくときの時間間隔を調整でき、また、最大スリーピングタイムＴｍａｘのパラメータを変更することで、ユーザ入力操作に対する反応性をどの程度まで遅くしても良いのかを設定できる。
【００３４】
なお、上述した実施の形態の説明は、本発明の一例である。このため、本発明は上述した実施の形態に限定されることなく、本発明に係る技術的思想を逸脱しない範囲であれば、設計等に応じて種々の変更が可能であることはもちろんである。
【００３５】
本実施の形態では、折り畳み式の携帯電話端末を例に挙げているが、例えば、第１の筐体と第２の筐体が所謂ジャックナイフのように開いた状態と重ね合わせた状態へ変更可能な携帯電話端末などにも適用可能である。
【００３６】
また、本発明は、特に一次或いは二次電池等からの電力供給により動作する携帯型の電子装置に好適であるが、それらには限定されない。
【００３７】
また、本発明において、電子装置の反応性は、上記ユーザの入力操作に対する反応性だけでなく、各種のセンサ等の出力に対する検出反応性や、入力信号或いは受信した情報に対する検出の反応性などであっても良い。
【００３８】
その他、本実施の形態はハードウェア構成を例に挙げて説明したが、ソフトウェアにより実現しても良い。
【００３９】
【発明の効果】
本発明においては、電源が供給されている状態で使用者からの入力操作を検知する入力操作検知手段若しくは電源を供給すべき電源供給対象に対して、電源を供給する第１の時間と電源を供給しない第２の時間とを繰り返す間欠的な電源供給を行う際に、第１の時間と第２の時間との比率を所定の時間毎に調整することにより、消費電力を削減しつつ、動作検出や情報検出の反応性を確保可能となっている。
【図面の簡単な説明】
【図１】本発明実施の形態の携帯電話端末を開いた状態の外観図である。
【図２】本発明実施の形態の携帯電話端末を折り畳んだ状態の外観図である。
【図３】ディスク型ジョグダイヤル部への電源供給を動作モードに応じて制御する主要部の構成を示すブロック回路図である。
【図４】ディスク型ジョグダイヤル部のホール素子へ供給される電源のオン／オフ制御のタイミングを示すタイミングチャートである。
【図５】ＣＰＵによる動作モードの制御及びスリーピングタイムの設定処理の流れを示すフローチャートである。
【符号の説明】
１…第１の筐体、２…第２の筐体、５…ディスク型ジョグダイヤル部、６…プッシュ型スイッチ、８…ディスク、９…キー操作部、２０…開閉検知スイッチ、２２…メモリ、２３…ＣＰＵ、２４…時計、２５…電源制御部、２６…回転検出部、２８…電源部、３０…レジスタ、３１…タイマ、３２…電源オン／オフ制御信号発生回路、３３…回転数検出回路、３４…回転方向検出回路、３５…電源供給回路、３６…電源供給オン／オフスイッチ、３７…ホール素子
【図１】
2004312540.tif 000003
【図２】
2004312540.tif 000004
【図３】
2004312540.tif 000005
【図４】
2004312540.tif 000006
【図５】
2004312540.tif 000007